(57)【要約】【課題】円形状の表示部を有する構成において、文字入力や機能選択の操作を行う際の使い勝手を高める。【解決手段】車両用表示装置１は、円形状の第１表示領域を有する第１表示部１０と、第１表示部の外周側に当該第１表示部と同心状に設けられている円環形状の第２表示領域１３を有する第２表示部１１とを備える。第２表示制御部は、ユーザの回転操作が検知された場合に、第２表示領域において複数の項目の表示を第１表示部の外周に沿って回転する。処理実行部は、第２表示領域に表示されている複数の項目のうち所定位置に表示されている項目を処理対象項目として決定し、その決定した処理対象項目にしたがって処理を実行する。【選択図】図２
2019121015.tif 000002
【特許請求の範囲】
【請求項１】
円形状の第１表示領域（１２）を有する第１表示部（１０）と、
前記第１表示部の外周側に当該第１表示部と同心状に設けられている円環形状の第２表示領域（１３）を有する第２表示部（１１）と、
前記第２表示領域の表示を制御する第２表示制御部（２ｂ）と、
前記第２表示領域に対するユーザの回転操作を検知する回転操作検知部（２ｃ）と、
処理対象項目にしたがって処理を実行する処理実行部（２ｆ）と、を備え、
前記第２表示制御部は、ユーザの回転操作が検知された場合に、前記第２表示領域において複数の項目の表示を前記第１表示部の外周に沿って回転し、
前記処理実行部は、前記第２表示領域に表示されている複数の項目のうち所定位置に表示されている項目を処理対象項目として決定し、その決定した処理対象項目にしたがって処理を実行する車両用表示装置。
【請求項２】
前記第２表示制御部は、前記第２表示領域において複数の項目としてアイコンの表示を前記第１表示部の外周に沿って回転し、
前記処理実行部は、前記第２表示領域に表示されている複数のアイコンのうち所定位置に表示されているアイコンを選択対象として決定し、その決定した選択対象にしたがって処理を実行する請求項１に記載した車両用表示装置。
【請求項３】
前記第２表示制御部は、前記第２表示領域において複数の項目として文字の表示を前記第１表示部の外周に沿って回転し、
前記処理実行部は、前記第２表示領域に表示されている複数の文字のうち所定位置に表示されている文字を入力対象として決定し、その決定した入力対象にしたがって処理を実行する請求項１に記載した車両用表示装置。
【請求項４】
ユーザの決定操作を検知する決定操作検知部（２ｄ）を備え、
前記処理実行部は、ユーザの決定操作が検知された場合に、前記第２表示領域に表示されている複数の項目のうち所定位置に表示されている項目を処理対象項目として決定する請求項１から３の何れか一項に記載した車両用表示装置。
【請求項５】
前記第１表示領域の表示を制御する第１表示制御部（２ａ）と、
前記第１表示領域に対するユーザの画面操作を検知する画面操作検知部（２ｅ）を備え、
前記第１表示制御部は、ユーザの画面操作が検知された場合に、前記第１表示領域の表示を切替える請求項１から４の何れか一項に記載した車両用表示装置。
【請求項６】
前記第１表示制御部は、前記第１表示部の中心側で表示内容の密集度を相対的に小さくし、前記第１表示部の周側で表示内容の密集度を相対的に大きくする請求項１から５の何れか一項に記載した車両用表示装置。
【請求項７】
前記第１表示制御部は、表示内容を文字とし、前記第１表示部の中心側で文字のサイズを相対的に大きくして文字の密集度を相対的に小さくし、前記第１表示部の周側で文字のサイズを相対的に小さくして文字の密集度を相対的に大きくする請求項６に記載した車両用表示装置。
【請求項８】
前記第１表示制御部は、表示単位を図とし、前記第１表示部の中心側で図の縮尺を相対的に大きくして図の密集度を相対的に小さくし、前記第１表示部の周側で図の縮尺を相対的に小さくして図の密集度を相対的に大きくする請求項６に記載した車両用表示装置。
【請求項９】
前記第１表示制御部は、前記第１表示領域を複数に分割し、その分割した領域毎の表示を制御する請求項１から８の何れか一項に記載した車両用表示装置。
【請求項１０】
円形状の第１表示領域（１２）を有する第１表示部（１０）と、前記第１表示部の外周側に当該第１表示部と同心状に設けられている円環形状の第２表示領域（１３）を有する第２表示部（１１）と、を備えた車両用表示装置（１）の制御部（２）に、
前記第２表示領域に対するユーザの回転操作を検知すると、前記第２表示領域において複数の項目の表示を前記第１表示部の外周に沿って回転する表示制御手順と、
前記第２表示領域に表示されている複数の項目のうち所定位置に表示されている項目を処理対象項目として決定し、その決定した処理対象項目にしたがって処理を実行する処理実行手順と、を実行させる表示プログラム。
【請求項１１】
請求項１０に記載した表示プログラムを記憶するコンピュータ読み取り可能な非一時的な記憶媒体。
【発明の詳細な説明】
【技術分野】
【０００１】
本発明は、車両用表示装置、表示プログラム及び記憶媒体に関する。
【背景技術】
【０００２】
従来より、ユーザが入力した文字を表示する文字入力装置が供されている。例えば特許文献１には、ユーザがマウスやトラックボール等のポインティングデバイスを用いて文字を入力し、その入力した文字を表示する文字入力装置が開示されている。
【先行技術文献】
【特許文献】
【０００３】
【特許文献１】特開２０１６−２８３４５号公報
【発明の概要】
【発明が解決しようとする課題】
【０００４】
ユーザが文字を入力する手法としてタッチパネルを用い、ユーザがタッチパネル操作を行うことで文字を入力し、その入力した文字を表示する文字入力装置も供されている。この種の文字入力装置は、日本語（５０音）、アルファベット、記号、数字等の入力可能な文字の一覧を四角形の配列で表示し、ユーザが文字を選択することで、その選択した文字を入力可能とする。
【０００５】
ところで、近年では、円形状の表示部を有する表示装置が考えられている。しかしながら、上記した四角形の配列を円形状の表示部に表示しようとすると、無駄な領域が存在してしまう等の問題がある。一方、円形状の表示部を有する表示装置において、５０音の行（「あ」行、「か」行、「さ」行、・・・）を円環状に配置し、何れかの行を選択した後に、５０音の段（「あ」段、「い」段、「う」段、・・・）を選択することで、文字を入力可能とする構成が考えられている。しかしながら、上記した構成では、所望の行や段を選択する際に視線移動が強いられることになり、車両用には適さない問題がある。又、行を選択した後に段を選択するという２回の操作が必要となり、操作が面倒である問題もある。このような問題は文字を入力する場合に限らず例えばメールの機能やナビゲーションの機能等を選択する場合にも想定される。このような事情から、文字入力や機能選択の操作を行う際の使い勝手を高めることが望まれている。
【０００６】
本発明は、上記した事情に鑑みてなされたものであり、その目的は、円形状の表示部を有する構成において、文字入力や機能選択の操作を行う際の使い勝手を高めることができる車両用表示装置、表示プログラム及び記憶媒体を提供することにある。
【課題を解決するための手段】
【０００７】
請求項１に記載した発明によれば、第１表示部（１０）は、円形状の第１表示領域（１２）を有する。第２表示部（１１）は、第１表示部の外周側に当該第１表示部と同心状に設けられている円環形状の第２表示領域（１３）を有する。第２表示制御部（２ｂ）は、第２表示領域の表示を制御する。回転操作検知部（２ｃ）は、第２表示領域に対するユーザの回転操作を検知する。処理実行部（２ｆ）は、処理対象項目にしたがって処理を実行する。
【０００８】
第２表示制御部は、ユーザの回転操作が検知されると、第２表示領域において複数の項目の表示を第１表示部の外周に沿って回転する。処理実行部は、第２表示領域に表示されている複数の項目のうち所定位置に表示されている項目を処理対象項目として決定し、その決定した処理対象項目にしたがって処理を実行する。
【０００９】
ユーザが第２表示領域に対する回転操作を行うと、第２表示領域において複数の項目の表示が第１表示部の外周に沿って回転し、その複数の項目のうち所定位置に表示されている項目にしたがって処理を実行するようにした。ユーザが視線を所定位置に固定したまま第２表示領域に対する回転操作を行うことで、所望の項目を選択することができ、その選択した所望の項目にしたがって処理を実行させることができる。即ち、たとえユーザが運転中であっても視線移動を極力少なくして所望の項目を選択することができ、円形状の表示部を有する構成において、文字入力や機能選択の操作を行う際の使い勝手を高めることができる。
【図面の簡単な説明】
【００１０】
【図１】一実施形態を示す機能ブロック図
【図２】メール画面及び各種アイコンを表示する態様を示す図
【図３】地図画面及び各種アイコンを表示する態様を示す図
【図４】メール画面の表示中に回転操作が行われた態様を示す図
【図５】地図画面の表示中に回転操作が行われた態様を示す図
【図６】メール画面の表示中に処理対象項目が決定された態様を示す図
【図７】返信画面が表示された態様を示す図
【図８】地図画面の表示中に処理対象項目が決定された態様を示す図
【図９】目的地設定画面が表示された態様を示す図
【図１０】アプリ監視処理を示すフローチャート
【図１１】アプリ起動中処理を示すフローチャート
【図１２】文字入力画面及び各種文字を表示する態様を示す図（その１）
【図１３】文字入力画面及び各種文字を表示する態様を示す図（その２）
【発明を実施するための形態】
【００１１】
以下、本発明の一実施形態について図面を参照して説明する。車両用表示装置１は、自動車の車室内において運転者が運転席に座ったまま操作可能な位置に搭載される装置であり、図１に示すように、制御部２と、表示部３と、操作スイッチ４と、リモコンセンサ５と、内部メモリ６と、外部記憶装置７と、スピーカ８と、マイク９とを備える。制御部２は、例えばアクセサリ信号のオンオフを検知することで車両用表示装置１の状態を切替え、アクセサリ信号がオフからオンに切替わることで車両用表示装置１を停止状態から起動状態に移行させ、アクセサリ信号がオンからオフに切替わることで車両用表示装置１を起動状態から停止状態に移行させる。
【００１２】
制御部２は、ＣＰＵ（Central Processing Unit）、ＲＯＭ（Read Only Memory）、ＲＡＭ（Random Access Memory）及びＩ／Ｏ（Input／Output）を有するマイクロコンピュータにより構成される。制御部２は、非遷移的実体的記憶媒体に格納されているコンピュータプログラムを実行することで、コンピュータプログラムに対応する処理を実行し、車両用表示装置１の動作全般を制御する。制御部２が実行するコンピュータプログラムには表示プログラムが含まれる。
【００１３】
表示部３は、図２に示すように、第１表示部１０と第２表示部１１とを有する。第１表示部１０は、円形状の第１表示領域１２を有し、その第１表示領域１２を、右上表示領域１２ａと右下表示領域１２ｂと左表示領域１２ｃとの３個の表示領域１２ａ〜１２ｃに分割している。第１表示部１０は、制御部２から第１表示指令信号を入力すると、その入力した第１表示指令信号により特定される第１表示情報を第１表示領域１２に表示する。第１表示部１０は、例えばメールアプリが起動されている場合には、第１表示情報としてメール画面を第１表示領域１２に表示し、メールの件名の一覧を右上表示領域１２ａに表示し、メールの本文を右下表示領域１２ｂに表示し、フォルダの一覧を左表示領域１２ｃに表示する。この場合、第１表示部１０は、その中心側で文字のサイズを相対的に大きくして文字の密集度を相対的に小さくし、その周側で文字のサイズを相対的に小さくして文字の密集度を相対的に大きくする。即ち、ユーザは、第１表示部１０の周側に表示されている情報よりも中心側に表示されている情報を認識し易い。
【００１４】
第２表示部１１は、第１表示部１０の外周側に当該第１表示部１０と同心状に設けられ、円環形状の第２表示領域１３を有する。第２表示部１１は、制御部２から第２表示指令信号を入力すると、その入力した第２表示指令信号により特定される第２表示情報を第２表示領域１３に表示する。第２表示部１１は、例えばメールアプリが起動されている場合には、第２表示情報としてメール画面に対してユーザが行うことが可能な操作を示す返信アイコン１４ａ、転送アイコン１４ｂ、保管アイコン１４ｃ、アドレス記憶アイコン１４ｄ、編集アイコン１４ｅ等を第２表示領域１３に表示する。尚、メール画面に対してユーザが行うことが可能な操作を示すアイコンは上記したアイコン１４ａ〜１４ｅに限らない。
【００１５】
尚、図２では、例えばメールアプリが起動されており、第１表示情報としてメール画面を表示し、第２表示情報としてメール画面に対応するアイコン１４ａ〜１４ｅを表示する場合を例示しているが、表示部３は、例えばナビアプリが起動されている場合には、図３に示すように、第１表示情報として地図画面を表示し、第２表示情報として地図画面に対応するアイコン１５ａ〜１５ｅを表示する。即ち、第１表示部１０は、地図画面を第１表示領域１２の全体に表示し、地図画面に対してユーザが行うことが可能な操作を示す目的地アイコン１５ａ、現在地アイコン１５ｂ、拡大アイコン１５ｃ、縮小アイコン１５ｄ、音声アイコン１５ｅ等を第２表示領域１３に表示する。この場合、第１表示部１０は、その中心側で図の縮尺を相対的に大きくして図の密集度を相対的に小さくし、その周側で図の縮尺を相対的に小さくして図の密集度を相対的に大きくする。尚、地図画面に対してユーザが行うことが可能な操作を示すアイコンも上記したアイコン１５ａ〜１５ｅに限らない。
【００１６】
操作スイッチ４は、第１表示部１０の第１表示領域１２及び第２表示部１１の第２表示領域１３に設けられているタッチパネルである。操作スイッチ４は、例えばユーザが第１表示領域１２にタッチして画面操作を行うと、その画面操作を特定可能な画面操作検知信号を制御部２に出力する。制御部２は、操作スイッチ４から画面操作検知信号を入力すると、その入力した画面操作検知信号により第１表示領域１２に対する画面操作を特定し、その特定した画面操作に応じた第１表示指令信号を第１表示部１０に出力する。
【００１７】
この場合、第１表示部１０は、制御部２から第１表示指令信号を入力すると、その入力した第１表示指令信号にしたがって表示画面を切替える。即ち、第１表示部１０は、例えば図２に示したメール画面を表示している状態においてユーザが画面操作としてドラッグ操作を行うと、そのドラッグ操作にしたがってメール画面を切替える。又、第１表示部１０は、例えば図３に示した地図画面を表示している状態においてユーザが画面操作としてドラッグ操作を行うと、そのドラッグ操作にしたがって地図画面を切替える。尚、以上は、ユーザが画面操作としてドラッグ操作を行った場合を説明したが、ユーザが画面操作としてタップ操作、ダブルタップ操作、フリック操作、ピンチイン操作、ピンチアウト操作等を行った場合も同様であり、第１表示部１０は、それぞれの画面操作にしたがって表示画面を切替える。
【００１８】
又、操作スイッチ４は、例えばユーザが第２表示領域１３にタッチして回転操作を行うと、その回転操作を特定可能な回転操作検知信号を制御部２に出力する。制御部２は、操作スイッチ４から回転操作検知信号を入力すると、その入力した回転操作検知信号により第２表示領域１３に対する回転操作を特定し、その特定した回転操作に応じた第２表示指令信号を第２表示部１１に出力する。
【００１９】
この場合、第２表示部１１は、制御部２から第２表示指令信号を入力すると、その入力した第２表示指令信号にしたがって第２表示領域１３におけるアイコンの表示を回転する。即ち、第２表示部１１は、例えば図２に示したメール画面を表示している状態においてユーザが回転操作を行うと、図４に示すように、その回転操作にしたがって第２表示領域１３におけるアイコン１４ａ〜１４ｅの位置を回転する。又、第２表示部１１は、例えば図３に示した地図画面を表示している状態においてユーザが回転操作を行うと、図５に示すように、その回転操作にしたがって第２表示領域１３におけるアイコン１５ａ〜１５ｅの位置を回転する。尚、図４及び図５ではユーザが反時計回り方向の回転操作を行った場合を例示しているが、ユーザが回転操作を行う方向は時計回り方向及び反時計回り方向の何れでも良い。
【００２０】
リモコン端末１６は、車両用表示装置１とは別に設けられ、ユーザが操作すると、その操作内容を特定可能な操作検知信号を例えばＷｉＦｉ（登録商標）やＢｌｕｅｔｏｏｔｈ（登録商標）等の無線通信によりリモコンセンサ５に送信する。リモコンセンサ５は、リモコン端末１６から操作検知信号を受信すると、その受信した操作検知信号を制御部２に出力する。尚、リモコン端末１６は、例えば上下左右及び斜めの８方向への移動、長押し、短押し等の複数操作を可能に構成されている。
【００２１】
内部メモリ６及び外部記憶装置７は、各種データベース等を記憶可能に構成されている。制御部２は、読出信号を内部メモリ６又は外部記憶装置７に出力することで、内部メモリ６又は外部記憶装置７に記憶されている記憶情報のうち読出信号により特定される記憶情報を読出し、その読出した記憶情報を表示部３に表示させる。即ち、制御部２は、メールアプリを起動する場合には、メール情報読出信号を内部メモリ６又は外部記憶装置７に出力することで、内部メモリ６又は外部記憶装置７に記憶されているメール情報を読出し、その読出したメール情報にしたがって上記したメール画面を表示部３に表示させる。又、制御部２は、ナビアプリを起動する場合には、ナビ情報読出信号を内部メモリ６又は外部記憶装置７に出力することで、内部メモリ６又は外部記憶装置７に記憶されているナビ情報を読出し、その読出したナビ情報にしたがって上記した地図画面を表示部３に表示させる。
【００２２】
スピーカ８は、車室内においてユーザが音声を聞取り可能な位置に配置されており、制御部２から音声指令信号を入力すると、その入力した音声指令信号により特定される音声を出力する。
【００２３】
マイク９は、車室内においてユーザから発せられた音声を取込み可能な位置に配置されており、ユーザから発せられた音声を取込むと、その取込んだ音声を特定可能な音声取込信号を制御部２に出力する。制御部２は、マイク９から音声取込信号を入力すると、その入力した音声取込信号により特定される音声を認識し、ユーザから発せられた音声を特定する。制御部２は、例えばユーザが「け」「っ」「て」「い」の音声を発したことで、マイク９から音声取込信号を入力すると、その入力した音声取込信号により特定される音声を認識し、ユーザから発せられた音声が「け」「っ」「て」「い」であると特定する。
【００２４】
制御部２は、第１表示制御部２ａと、第２表示制御部２ｂ、回転操作検知部２ｃと、決定操作検知部２ｄと、画面操作検知部２ｅと、処理実行部２ｆとを有する。第１表示制御部２ａは、上記した第１表示指令信号を第１表示部１０に出力し、第１表示領域１２の表示を制御する。第２表示制御部２ｂは、上記した第２表示指令信号を第２表示部１１に出力し、第２表示領域１３の表示を制御する。
【００２５】
回転操作検知部２ｃは、上記した回転操作検知信号を操作スイッチ４から入力し、ユーザが第２表示領域１３に対して行った回転操作を検知する。決定操作検知部２ｄは、上記した音声取込信号をマイク９から入力し、ユーザが行った決定操作を検知する。画面操作検知部２ｅは、上記した画面操作検知信号を操作スイッチ４から入力し、ユーザが第１表示領域１２に対して行った画面操作を検知する。
【００２６】
処理実行部２ｆは、第２表示領域１３に表示されている複数の項目のうち所定位置に表示されている項目を処理対象項目として決定し、その決定した処理対象項目にしたがって処理を実行する。具体的に説明すると、処理実行部２ｆは、メールアプリが起動されている場合には、図６に示すように、例えば返信アイコン１４ａが第２表示領域１３の最上位置（図６中「Ｐ」参照、所定位置に相当する）に表示されている状態で、ユーザが「け」「っ」「て」「い」の音声を発したことが検知されると、その返信アイコン１４ａに対応する返信を処理対象項目として決定する。このとき、第１表示制御部２ａは、第１表示指令信号を第１表示部１０に出力し、図７に示すように、ユーザが返信操作を可能な返信画面を第１表示領域１２に表示させる。尚、転送アイコン１４ｂ、保管アイコン１４ｃ、アドレス記憶アイコン１４ｄ、編集アイコン１４ｅが第２表示領域１３の最上位置に表示されている状態で、ユーザが「け」「っ」「て」「い」の音声を発したことが検知された場合も同様である。即ち、第１表示制御部２ａは、それぞれユーザが操作を可能な転送画面、保管画面、アドレス記憶画面、編集画面を第１表示領域１２に表示させる。
【００２７】
又、処理実行部２ｆは、ナビアプリが起動されている場合には、図８に示すように、例えば目的地アイコン１５ａが第２表示領域１３の最上位置（図８中「Ｐ」参照）に表示されている状態で、ユーザが「け」「っ」「て」「い」の音声を発したことが検知されると、その目的地アイコン１５ａに対応する目的地設定を処理対象項目として決定する。このとき、第１表示制御部２ａは、第１表示指令信号を第１表示部１０に出力し、図９に示すように、ユーザが目的地の設定操作を可能な目的地設定画面を第１表示領域１２に表示させる。尚、現在地アイコン１５ｂ、拡大アイコン１５ｃ、縮小アイコン１５ｄ、音声アイコン１５ｅが第２表示領域１３の最上位置に表示されている状態で、ユーザが「け」「っ」「て」「い」の音声を発したことが検知された場合も同様である。即ち、第１表示制御部２ａは、それぞれユーザが操作を可能な現在地表示画面、拡大表示画面、縮小表示画面、音声案内画面を第１表示領域１２に表示させる。
【００２８】
次に、上記した構成の作用について図１０及び図１１を参照して説明する。
車両用表示装置１において、制御部２は、例えばアクセサリ信号がオンではアプリ監視処理を実行し、アプリを起動中ではアプリ起動中処理を実行する。以下、それぞれの処理について説明する。
（１）アプリ監視処理
【００２９】
制御部２は、アプリ監視処理を開始すると、アプリを起動させる起動操作、アプリを停止させる停止操作、アプリを切替える切替操作が行われたか否かを判定する（Ｓ１〜Ｓ３）。この場合、ユーザは例えばメニュー画面（図示せず）においてアプリ起動アイコンを操作したり「あ」「ぷ」「り」「き」「ど」「う」等の音声を発したりすることで、アプリの起動操作が可能である。又、ユーザは同様にしてアプリの停止操作や切替操作が可能である。
【００３０】
制御部２は、アプリを起動させる起動操作が行われたと判定すると（Ｓ１：ＹＥＳ）、その起動操作により指定されたアプリを起動する（Ｓ４）。即ち、制御部２は、メールアプリを起動させる起動操作が行われた場合であれば、メールアプリを起動し、上記した図２に示したようにメール画面を第１表示領域１２に表示させると共に各種アイコン１４ａ〜１４ｅを第２表示領域１３に表示させる。又、制御部２は、ナビアプリを起動させる起動操作が行われた場合であれば、ナビアプリを起動し、上記した図３に示したように地図画面を第１表示領域１２に表示させると共に各種アイコン１５ａ〜１５ｅを第２表示領域１３に表示させる。
【００３１】
制御部２は、アプリを停止させる停止操作が行われたと判定すると（Ｓ２：ＹＥＳ）、その時点で起動中のアプリを停止する（Ｓ５）。即ち、制御部２は、メールアプリを起動中に停止操作が行われた場合であれば、その起動中のメールアプリを停止する。又、制御部２は、ナビアプリを起動中に停止操作が行われた場合であれば、その起動中のナビアプリを停止する。
【００３２】
制御部２は、アプリを切替える切替操作が行われたと判定すると（Ｓ３：ＹＥＳ）、そその時点で起動中のアプリを停止し、その切替操作により指定されたアプリを起動し、アプリを切替える（Ｓ６）。即ち、制御部２は、例えばメールアプリを起動中にナビアプリへの切替操作が行われた場合であれば、その起動中のメールアプリを停止し、ナビアプリを起動し、メールアプリからナビアプリに切替える。制御部２は、アクセサリ信号がオンからオフへの切替を判定し（Ｓ７）、アクセサリ信号がオンである限りは上記したステップＳ１〜Ｓ６を繰り返す。制御部２は、アクセサリ信号がオフからオンに切替わったと判定すると、アプリ監視処理を終了する。
【００３３】
（２）アプリ起動中処理
制御部２は、アプリ起動中処理を開始すると、第１表示領域１２に対するユーザの画面操作、第２表示領域１３に対するユーザの回転操作が行われたか否かを判定する（Ｓ１１，Ｓ１２）。制御部２は、画面操作検知信号を操作スイッチ４から入力し、ユーザの画面操作が行われたと判定すると（Ｓ１１：ＹＥＳ）、その画面操作に応じた第１表示指令信号を第１表示部１０に出力し、画面操作に応じて第１表示領域１２の表示を切替える（Ｓ１３）。即ち、制御部２は、メールアプリを起動中であれば、メール画面を画面操作にしたがって切替え、ナビアプリを起動中であれば、地図画面を画面操作にしたがって切替える。
【００３４】
制御部２は、回転操作検知信号を操作スイッチ４から入力し、ユーザによる第２表示領域１３に対する回転操作が行われたと判定すると（Ｓ１２：ＹＥＳ）、その回転操作に応じた第２表示指令信号を第２表示部１１に出力し、回転操作に応じて第２表示領域１３における項目の表示を回転し（Ｓ１４、表示制御手順に相当する）、処理対象項目の決定操作が行われたか否かを判定する（Ｓ１５）。即ち、制御部２は、メールアプリを起動中であれば、各種アイコン１４ａ〜１４ｅの表示を回転し、ナビアプリを起動中であれば、各種アイコン１５ａ〜１５ｅの表示を回転し、処理対象項目の決定操作が行われたか否かを判定する。
【００３５】
制御部２は、例えばユーザが「け」「っ」「て」「い」の音声を発したことを検知し、処理対象項目の決定操作が行われたと判定すると（Ｓ１５：ＹＥＳ）、その時点で第２表示領域１３の最上位置に表示されているアイコンに対応する項目を処理対象項目として決定する（Ｓ１６）。そして、制御部２は、その決定した処理対象項目にしたがって処理を実行し、第１表示指令信号を第１表示部１０に出力し、その処理対象項目として決定した項目に対応する画面を第１表示領域１２に表示させる（Ｓ１７、処理実行手順に相当する）。
【００３６】
即ち、制御部２は、メールアプリを起動中であり、返信アイコン１４ａが第２表示領域１３の最上位置に表示されている状態で、ユーザが「け」「っ」「て」「い」の音声を発したことを検知すると、上記した図７に示したように、ユーザが返信操作を可能な返信画面を第１表示領域１２に表示させる。又、制御部２は、ナビアプリを起動中であり、目的地アイコン１５ａが第２表示領域１３の最上位置に表示されている状態で、ユーザが「け」「っ」「て」「い」の音声を発したことを検知すると、上記した図９に示したように、ユーザが目的地の設定操作を可能な目的地設定画面を第１表示領域１２に表示させる。制御部２は、アプリの停止を判定し（Ｓ１８）、アプリが起動中である限りは上記したステップＳ１１〜Ｓ１７を繰り返す。制御部２は、アプリを停止したと判定すると、アプリ起動中処理を終了する。
【００３７】
以上に説明した処理を制御部２が行うことで、ユーザは、視線を第２表示領域１３の最上位置に固定したまま第２表示領域１３に対する回転操作を行い、所望のアイコンを選択した状態で「け」「っ」「て」「い」の音声を発することで、その選択した所望のアイコンに対応する処理を実行させることができる。即ち、ユーザは、たとえ運転中であっても視線移動を極力少なくして所望のアイコンを選択することができ、安全を確保した上で、その選択した所望のアイコンに対応する処理を実行させることができる。
【００３８】
尚、以上は、メール画面に対応するアイコン１４ａ〜１４ｅや地図画面に対応するアイコン１５ａ〜１５ｅを選択することで所望の機能を選択する場合について説明したが、所望の文字を入力する場合も同様である。即ち、図１２に示すように、第１表示部１０において文字入力画面を表示し、第２表示部１１において「あ」〜「ん」の５０音を表示し、ユーザが第２表示領域１３に対する回転操作を行うことで所望の文字を文字入力画面に入力可能とする構成でも良い。又、図１３に示すように、第１表示部１０において文字入力画面を表示し、第２表示部１１において「あ」「か」「さ」…「わ」の５０音の行を表示すると共に削除アイコン１６ａ、改行アイコン１６ｂ、完了アイコン１６ｃ等を表示し、ユーザが第２表示領域１３に対する回転操作を行うことで所望の文字を文字入力画面に入力可能とすると共に所望のアイコンを選択可能としても良い。
【００３９】
又、以上は、ユーザが所望のアイコンを選択した状態で「け」「っ」「て」「い」の音声を発することで、その選択した所望のアイコンに対応する処理を実行させる場合について説明したが、「け」「っ」「て」「い」の音声を発する代わりに、ステアリングの操作スイッチを利用し、ユーザがステアリングの操作スイッチを操作することで、その選択した所望のアイコンに対応する処理を実行させても良い。又、ユーザがステアリングを把持している位置をカメラ等により検知し、ユーザがステアリングの所定位置を把持することで、その選択した所望のアイコンに対応する処理を実行させても良い。
【００４０】
以上に説明したように本実施形態によれば、次に示す効果を得ることができる。
車両用表示装置１において、ユーザが第２表示領域１３に対する回転操作を行うと、第２表示領域１３において複数のアイコンや文字が第１表示部１０の外周に沿って回転し、その複数のアイコンや文字のうち第２表示領域１３の最上位置に表示されているアイコンや文字にしたがって処理を実行するようにした。ユーザが視線を第２表示領域１３の最上位置に固定したまま第２表示領域１３に対する回転操作を行うことで、所望のアイコンや文字を選択することができ、その選択した所望のアイコンや文字にしたがって処理を実行させることができる。即ち、たとえユーザが運転中であっても視線移動を極力少なくして所望のアイコンや文字を選択することができ、円形状の表示部４を有する構成において、文字入力や機能選択の操作を行う際の使い勝手を高めることができる。
【００４１】
又、ユーザが所望のアイコンや文字を選択した状態で「け」「っ」「て」「い」の音声を発することで、その複数のアイコンや文字のうち第２表示領域１３の最上位置に表示されているアイコンや文字にしたがって処理を実行するようにした。ユーザが視線を第２表示領域１３の最上位置に固定したまま第２表示領域１３に対する回転操作を行った後に、「け」「っ」「て」「い」の音声を発するだけで、その選択した所望のアイコンや文字にしたがって処理を実行させることができる。
【００４２】
又、第１表示部１０において、その中心側で表示内容の密集度を相対的に小さくし、その周側で表示内容の密集度を相対的に大きくした。即ち、文字を表示する場合であれば、その中心側で文字のサイズを相対的に大きくして文字の密集度を相対的に小さくし、その周側で文字のサイズを相対的に小さくして文字の密集度を相対的に大きくした。又、地図を表示する場合であれば、その中心側で地図の縮尺を相対的に大きくして地図の密集度を相対的に小さくし、その周側で地図の縮尺を相対的に小さくして地図の密集度を相対的に大きくした。ユーザが第１表示部１０の周側に表示されている情報よりも中心側に表示されている情報を認識し易くすることができる。
【００４３】
本開示は、実施例に準拠して記述されたが、当該実施例や構造に限定されるものではないと理解される。本開示は、様々な変形例や均等範囲内の変形をも包含する。加えて、様々な組み合わせや形態、更には、それらに一要素のみ、それ以上、或いはそれ以下を含む他の組み合わせや形態をも、本開示の範疇や思想範囲に入るものである。
【００４４】
メールアプリに対応するメール画面やナビアプリに対応する地図画面を表示する構成を例示したが、他のアプリに対応する他の画面を表示する場合にも適用することができる。例えばオーディオアプリを起動する場合に、再生アイコン、早送りアイコン、巻戻しアイコン、一時停止アイコン、音量アップアイコン、音量ダウンアイコン等を選択可能としても良い。
【００４５】
第２表示領域１３の最上位置を所定位置とする構成を例示したが、ユーザが目視し易い位置であれば、第２表示領域１３の最上位置とは別の位置を所定位置としても良い。
【符号の説明】
【００４６】
図面中、１は車両用表示装置、２は制御部、２ａは第１表示制御部、２ｂは第２表示制御部、２ｃは回転操作検知部、２ｄは決定操作検知部、２ｅは画面操作検知部、２ｆは処理実行部、１０は第１表示部、１１は第２表示部、１２は第１表示領域、１３は第２表示領域である。
【図１】
2019121015.tif 000003
【図２】
2019121015.tif 000004
【図３】
2019121015.tif 000005
【図４】
2019121015.tif 000006
【図５】
2019121015.tif 000007
【図６】
2019121015.tif 000008
【図７】
2019121015.tif 000009
【図８】
2019121015.tif 000010
【図９】
2019121015.tif 000011
【図１０】
2019121015.tif 000012
【図１１】
2019121015.tif 000013
【図１２】
2019121015.tif 000014
【図１３】
2019121015.tif 000015